(57)【要約】【課題】  従来は、あらかじめ記憶したマスタパターンと印字パターンとを比較して印字パターンの大きさを変更していたため、任意の文字の大きさに変更することはできない。そのため、登録した文字サイズが不適切な場合や、変更を行いたい場合にはマスターパターンの再登録が必要となってくる。【解決手段】  第一の印字条件に基づき印字物に印字した印字内容を撮像して得た画像を表示する表示部と、前記表示部に表示された画像の大きさである第一の画像の大きさに基づき第二の画像の大きさを設定する設定部と、前記設定部により設定された該第二の文字の大きさに関する第二の印字条件を算出する算出部と、を備えるインクジェット記録装置システムである。【選択図】図１
2017183953.tif 000002
【特許請求の範囲】
【請求項１】
第一の印字条件に基づき印字物に印字した印字内容を撮像して得た画像を表示する表示部と、
前記表示部に表示された画像の大きさである第一の画像の大きさに基づき第二の画像の大きさを設定する設定部と、
前記設定部により設定された該第二の文字の大きさに関する第二の印字条件を算出する算出部と、
を備えるインクジェット記録装置システム。
【請求項２】
請求項１記載のインクジェット記録装置システムであって、
前記第一の画像および前記第二の画像は文字または文字列であることを特徴とするインクジェット記録装置システム。
【請求項３】
請求項１記載のインクジェット記録装置システムであって、
さらに、前記算出部にて算出した第二の印字条件に基づき印字するインクジェット記録装置部を備えることを特徴とするインクジェット記録装置システム。
【請求項４】
請求項１記載のインクジェット記録装置システムであって、
前記設定部では、前記表示部に表示された画像をクリックすることにより大きさを設定することを特徴とするインクジェット記録装置システム。
【請求項５】
請求項１記載のインクジェット記録装置システムであって、
前記算出部では、該第一の画像と該第二の画像との画素数の比率を算出することを特徴とするインクジェット記録装置システム。
【請求項６】
請求項１記載のインクジェット記録装置システムであって、
前記算出部では、該第一の画像と該第二の画像の高さまたは幅の長さの比率を算出することを特徴とするインクジェット記録装置システム。
【請求項７】
第一の印字条件に基づき印字物に印字した印字内容を撮像して得た画像を表示する表示工程と、
前記表示工程にて表示された画像の大きさである第一の画像の大きさに基づき第二の画像の大きさを設定する設定工程と、
前記設定工程により設定された該第二の文字の大きさに関する第二の印字条件を算出する算出工程と、
を備えるインクジェット記録装置システムの制御方法。
【請求項８】
請求項７記載のインクジェット記録装置システムの制御方法であって、
前記第一の画像および前記第二の画像は文字または文字列であることを特徴とするインクジェット記録装置システムの制御方法。
【請求項９】
請求項７記載のインクジェット記録装置システムの制御方法であって、
さらに、前記算出工程にて算出した第二の印字条件に基づき印字するインクジェット記録工程を備えることを特徴とするインクジェット記録装置システムの制御方法。
【請求項１０】
請求項７記載のインクジェット記録装置システムの制御方法であって、
前記設定工程では、前記表示工程にて表示された画像をクリックすることにより大きさを設定することを特徴とするインクジェット記録装置システムの制御方法。
【請求項１１】
請求項７記載のインクジェット記録装置システムの制御方法であって、
前記算出工程では、該第一の画像と該第二の画像との画素数の比率を算出することを特徴とするインクジェット記録装置システムの制御方法。
【請求項１２】
請求項７記載のインクジェット記録装置システムの制御方法であって、
前記算出工程では、該第一の画像と該第二の画像の高さまたは幅の長さの比率を算出することを特徴とするインクジェット記録装置システムの制御方法。
【発明の詳細な説明】
【技術分野】
【０００１】
インクジェット記録装置システムおよびその制御方法に関する。
【背景技術】
【０００２】
本技術分野の背景技術として、特許第２６９３５４９号公報（特許文献１）がある。この公報には、「ノズルより噴出されるインク粒子に印字パターン発生器の印字信号で電荷を帯電させて印字をおこなうインクジェット記録装置と、被印字物を移送するコンベアと、前記インクジェット記録装置で前記被印字物に印字した印字パターンを読み取って画像情報印字品質の合否判定をする画像処理装置とを備えているものにおいて、前記画像処理装置にあらかじめ記憶していたマスターパターンと読み取った印字パターンとを比較し、前記印字パターンが前記マスターパターンより小さい場合は印字が大きくなるように、逆に前記印字パターンが前記マスターパターンより大きい場合は印字が小さくなるように、それぞれ印字パターン発生器の印字信号を補正しうるようにしたことを特徴とする」と記載されている（特許請求の範囲参照）。
【先行技術文献】
【特許文献】
【０００３】
【特許文献１】特許第２６９３５４９号公報
【発明の概要】
【発明が解決しようとする課題】
【０００４】
特許文献１には、あらかじめ記憶したマスタパターンと印字パターンとを比較して印字パターンの大きさを変更することが開示されている。しかし、特許文献１に記載の方法では、任意の文字の大きさに変更することはできないため、登録した文字サイズが不適切な場合や、変更を行いたい場合にはマスターパターンの再登録が必要となってくる。
【０００５】
そこで本願では、任意のサイズへの変更を容易に行うことのできるインクジェット記録装置システムおよびその制御方法を提供することを目的とする。
【課題を解決するための手段】
【０００６】
上記課題を解決するために、例えば特許請求の範囲に記載の構成を採用する。
本願は上記課題を解決する手段を複数含んでいるが、その一例を挙げるならば、「第一の印字条件に基づき印字物に印字した印字内容を撮像して得た画像を表示する表示部と、前記表示部に表示された画像の大きさである第一の画像の大きさに基づき第二の画像の大きさを設定する設定部と、前記設定部により設定された該第二の文字の大きさに関する第二の印字条件を算出する算出部」を備えることを特徴とする。
【発明の効果】
【０００７】
本願では、任意のサイズへの変更を容易に行うことのできるインクジェット記録装置システムおよびその制御方法を提供することができる。
【図面の簡単な説明】
【０００８】
【図１】本願の実施例１に係るインクジェット記録装置システムの構成図の例である。
【図２】本願の実施例１に係るインクジェット記録装置システムのうちインクジェット記録装置本体および印字ヘッド外観を示す斜視図である。
【図３】本願の実施例１に係るインクジェット記録装置システムのうちインクジェット記録装置の循環系経路構成を示す図である。
【図４】本願の実施例１に係るインクジェット記録装置システムのうち印字検査装置本体およびカメラ、照明の外観を示す斜視図である。
【図５】本願の実施例１に係るインクジェット記録装置システムのうち印字検査装置の信号経路構成を示す図である。
【図６】本願の実施例１に係るインクジェット記録装置システムの制御方法を示す手順フロー図である。
【図７】本願の実施例１に係るインクジェット記録装置システムによる文字例を示す図である。
【図８】本願の実施例１に係るインクジェット記録装置システムにおいて、文字列を指定した文字サイズの制御画面の例である。
【図９】本願の実施例２に係るインクジェット記録装置システムにおいて、一文字を指定した文字サイズの制御画面の例である。
【図１０】本願の実施例３に係るインクジェット記録装置システムにおいて、文字サイズを指定した制御画面の例である。
【発明を実施するための形態】
【０００９】
以下、実施例を図面を用いて説明する。
【実施例１】
【００１０】
本実施例では、インクジェット記録装置の文字サイズを任意の大きさに変更するためのインクジェット記録装置システムおよびその制御方法を説明する。
図１は、本願の実施例１に係るインクジェット記録装置システムの構成図の例である。
【００１１】
インクジェット記録装置システムは、インクジェット記録装置１００と印字検査装置３００とにより構成される。インクジェット記録装置１００は印字対象物に印字をする装置、印字検査装置３００はインクジェット記録装置により印字された印字対象物から印字内容を読み取り、該印字内容を検査する装置である。
【００１２】
インクジェット記録装置１００は、入力部１３と、制御部７、計算部５、出力部６、印字部２、操作表示部３、通信部９と、を備えて構成される。
操作表示部３または入力部１３により入力された印字条件に基づき、駆動条件を計算部５で算出し、制御部７による制御に基づき印字部２で被印字対象に印字する。通信部９は、印字条件や駆動条件等の情報を印字検査装置３００との間で送受信するなど、印字検査装置３００との間のデータ通信を可能とする。
印字検査装置３００は、入力部４１、制御部４２、計算部４３、出力部４４、４８、画像取得部４５、操作表示部４６、通信部４７と、を備えて構成される。
操作表示部４６は、インクジェット記録装置１００により印字された内容を、カメラなどの画像取得部４５により取得し、表示する。また、入力部１４や出力部４４により所望の印字内容（印字サイズ等）に関する情報を設定し、制御部４２に送る。
制御部４２は、画像取得部４５により送信された取得画像や所望の印字内容と通信部４７により得たインクジェット記録装置１００側の印字条件および駆動条件とを計算部４３に送る。
計算部４３では、これらの情報に基づきソフト処理を行い、所望の印字内容を実現するための印字条件や駆動条件等を算出し、制御部４２に送る。
【００１３】
制御部４２はそれらの情報を通信部４７および操作表示部４６に送る。
通信部４７は、計算部４３より送られた所望の印字内容を実現するための印字条件や駆動条件等をインクジェット記録装置１００に送信する。
また、操作表示部４６は、制御部４２から送られたそれらの情報を表示し、ユーザに知らせる。
【００１４】
本願におけるインクジェット記録装置システムは、通信部９、４７により、インクジェット記録装置１００、印字検査装置３００の互いの情報が自由に参照できる構成、またはそれぞれで情報のやり取りできる構成となっている。
【００１５】
図２は、本願の実施例１に係るインクジェット記録装置システムのうちインクジェット記録装置１００を示す斜視図である。
インクジェット記録装置１００は、外部に操作表示部３が備えられた本体１と、印字ヘッド２と、本体１と印字ヘッド２とを接続する導管４と、を備えて構成される。図２における本体１は、図１の操作表示部３、入力部１３、出力部６、制御部７、計算部５、通信部９に対応し、図２における印字ヘッド２は図１の印字部２に対応する。
【００１６】
図３は、本願の実施例１に係るインクジェット記録装置システムのうちインクジェット記録装置１００の全体的な経路構成を示す説明図である。本体１には、循環するインクを保持する主インク容器１８が備えられており、主インク容器１８には、主インク容器１８内の液体が内部に保持されるのに適正な量である基準液面レベルに達しているか否かを検知する液面センサ３８が備えられている。主インク容器１８には、インクを循環させるための経路１０１を介してインクの粘度を計測するための落下式粘度計である粘度計測器２１に接続されている。
【００１７】
粘度計測器２１は経路１０２を介して経路の開閉を行う電磁弁２２に接続されており、電磁弁２２は経路１０３を介してインクや溶剤の吸引、圧送に供されるポンプ２５に接続されている。そして、ポンプ２５は経路１０４を介してインク中に混入している異物を除去するフィルタ２８に接続されている。
【００１８】
フィルタ２８は、経路１０５を介してポンプ２５から圧送されたインクを印字するために適正な圧力に調整する減圧弁３０に接続されており、減圧弁３０は、経路１０６を介してインクの圧力を検出するための圧力センサ３１に接続されている。
【００１９】
圧力センサ３１は、導管４内をとおる経路１０７を介して印字ヘッド２内に備えられたインクを吐出する吐出口を供えたノズル８に接続されている。
【００２０】
ノズル８のインク吐出方向には、ノズル８から吐出されたインク粒子１０に印字する文字情報に応じた電荷量を粒子に帯電させる帯電電極１１が配置されている。帯電電極１１により帯電させられたインク粒子１０の飛翔方向には、帯電されたインク粒子１０を偏向させる電界を発生させる偏向電極１２が配置されている。
【００２１】
偏向電極１２のインク飛翔方向側には、印字に使用されないために帯電、偏向されずに直線的に飛翔するインク粒子１０を捕捉するガター１４が配置されている。
【００２２】
ガター１４は、導管４内をとおる経路１０８を介して本体１内に配置されているインク中に混入している異物を除去するフィルタ２９と接続されており、フィルタ２９は、経路１０９を介してガター１４により補足されたインク粒子１０を吸引する回収ポンプ２６と接続されている。そして、回収ポンプ２６は、経路１１０を介して吸引したインク粒子１０を主インク容器１８に回収する。
【００２３】
本体１には、排気口３２が設けられており、排気口３２は経路１５０を介して主インク容器１８と接続されており、インク中の揮発した溶剤成分が経路１５０を介して、本体１の外部に排気される。
【００２４】
また、本体１には、ノズル８で生じるインクによる汚染の解消及びインクの濃度を調整するための溶剤を収容する溶剤容器２０が備えられており、溶剤容器２０は、経路１１１を介して溶剤の吸引、圧送を行うポンプ２７に接続されている。また、ポンプ２７は、経路１１２を介して経路の開閉を行う電磁弁２４に接続されており、電磁弁２４は、経路１１３を介して主インク容器１８に接続されている。
【００２５】
さらに、本体１には、補充用のインクを保持する補助インク容器１９が備えられており、補助インク容器１９は、経路１２０を介して経路の開閉を行う電磁弁２３に接続されている。そして、電磁弁２３は経路１２１を介して経路１０３に接続されている。
【００２６】
図４は、本願の実施例１に係るインクジェット記録装置システムのうち印字検査装置の斜視図である。
図４の印字検査装置３００は、検査装置部４０、操作表示部１６、画像取得部４５、出力部４８、入力部４１（図示せず）を備えて構成される。図４の検査装置部４０は、図１の制御部４２、計算部４３、通信部４７に対応する。ここで、画像入力部１５は例えばカメラなどである。また、検査装置部４０と入力部４１と照明部（図示なし）とはケーブルなどにより接続されている。
【００２７】
図２に示すインクジェット記録装置と図４に示す印字検査装置とは図示の関係上、別個に示されているが、本願のインクジェット記録装置システムは、図２に示すインクジェット記録装置と図４に示す印字検査装置とが互いに接続され一体として構成されている。
【００２８】
また、図１のインクジェット記録装置１００および印字検査装置３００、それぞれの一部の構成（例えば、印字部２、入力部１３、操作表示部４６、画像取得部４５、入力部４１、出力部４８等）がオプションとしてこれらの装置の外部に接続されている形態であっても良い。
【００２９】
図５は、本願の実施例１に係るインクジェット記録装置システムのうち印字検査装置３００の基本的な構成を示す説明図である。
印字検査装置３００の各構成の働きは前述したとおりであるが、図５には図示していないが、インクジェット記録装置１００により印字された内容を画像取得する際に、鮮明な画像を得るための補助として被写体を照らす照明部を用いても良い。ここで被写体とは、インクジェット記録装置により記録され、検査装置により検査される対象となるものである。
【００３０】
次に、本願の特徴部分である、インクジェット記録装置の文字サイズを任意の大きさに変更する方法について述べる。
＜文字サイズ変更の全体フロー＞
図６は、本願の実施例１に係るインクジェット記録装置システムの制御方法を示す手順フロー図である。
本フローは印字検査装置の入力部４１での取得方法（Ｓｔｅｐ３）が異なるだけで、すべての実施例に適応される。
Ｓｔｅｐ１の前提として、インクジェット記録装置１００により被印字物に対して印字を実行する。
これに対し、画像取得部４５により該被印字物への印字内容を画像取得する（Ｓｔｅｐ１）。
Ｓｔｅｐ１で取得した画像を操作表示部４６に表示する（Ｓｔｅｐ２）。
Ｓｔｅｐ２で操作表示部４６に表示した画像（文字列）に基づき、入力部４１、出力部４８を用いて変更後の文字列の大きさ（幅、高さ）を設定する（Ｓｔｅｐ３）。
インクジェット記録装置１００の印字条件に関する情報を、通信部９、４７を介して印字検査装置３００が取得する（Ｓｔｅｐ４）。
Ｓｔｅｐ４で取得したインクジェット記録装置１００の印字条件に関する情報とＳｔｅｐ３で設定した変更後の文字列の大きさに関する情報とに基づき、変更後の文字列の大きさで印字するための変更後の印字条件や駆動条件を計算部４３にて計算する（Ｓｔｅｐ５）。ここで、インクジェット記録装置１００から取得する印字条件に関する情報とは、後述の設定値Ａ、Ｂ等である。また、Ｓｔｅｐ５では、変更前後の文字列の大きさ等の情報に基づき、大きさの変更比率Ａ’、 Ｂ’を算出する。そして、大きさの変更比率Ａ’、 Ｂ’に基づき、例えば、インクジェット記録装置１００の帯電電圧や偏向電圧などの印字条件や駆動条件等のパラメータを算出する。
Ｓｔｅｐ５の計算結果（変更後の印字条件や駆動条件等）を通信部４７から通信部９に送る（Ｓｔｅｐ６）。
Ｓｔｅｐ６にて送信した変更後の印字条件や駆動条件等をインクジェット記録装置１００に設定する（Ｓｔｅｐ７）。
【００３１】
ステップには、含まれていないが、Ｓｔｅｐ７の後に、設定した印字条件や駆動条件等に基づきインクジェット記録装置１００にて印字を行う。
【００３２】
尚、図６では、Ｓｔｅｐ４をＳｔｅｐ３の後に行う場合について説明したが，Ｓｔｅｐ４は例えばＳｔｅｐ１の前後など、Ｓｔｅｐ４より前のタイミングで行われていても良い。また、Ｓｔｅｐ５にて大きさの変更比率Ａ’、 Ｂ’を算出することを説明したが、Ｓｔｅｐ３にて行われても良い。
【００３３】
尚、図６では、印字検査装置３００の計算部４３にて変更後の印字条件や駆動条件を計算する方法を示したが、当該計算はインクジェット記録装置１００側の計算部５にて行われても良い。この場合は、変更後の文字大きさに関する情報を印字検査装置３００からインクジェット記録装置１００に送信することにより、計算部５にて同様の計算を行うことが可能となる。
＜文字大きさ変更方法＞
図８に、本願の実施例１に係るインクジェット記録装置システムにおいて、文字列を指定した文字サイズの制御画面の例を示す。図８では、図６のＳｔｅｐ２乃至５にて行う処理の一部について詳細に説明する。
【００３４】
図８は、印字検査装置３００の操作表示部４６に表示される画面の一例である。
画面中央部にある「0123456789ABCDE」の文字列は、インクジェット記録装置で記録した画像を画像取得部４５より撮像したものである。
まず、入力部４１や出力部４８などを用いて項目１７０にて文字サイズを入力し、中央部の文字列の長さＬと文字高さＨを設定し、設定値に基づき枠１７１で囲う。その後、項目１８０の文字サイズを入力することにより、変更後に得たい（所望の）文字列の大きさを設定し、該設定値に基づき設定変更後の文字列の大きさである長さＬ’と文字高さＨ’を枠１８１で設定する。設定されたＬとＬ’の画素数から後述する（数３）を使用して変更前後の文字幅比率Ａ’を求め、変更後の文字幅を決定する。文字の高さ方向についても同様に、設定されたＨとＨ’の画素数に基づき後述する（数４）で同様の計算を行うことで変更前後の文字高さ比率Ｂ’を求め、変更後の文字高さを決定する。
【００３５】
ここで、項目１７０を用いて変更前の文字大きさ（幅、高さ）の設定を行う方法を説明したが、印字検査装置３００内部で自動的に文字列の大きさを検知し、項目１７０の画素数や枠１７１を自動的に表示するようにしてもよい。この場合は、ユーザが入力部４１や出力部４８を用いて変更前の文字列の大きさを設定する手間が省ける。
また、項目１８０を用いて変更後の文字大きさ（幅、高さ）を設定する代わりに、画面中央部の枠１７１をクリックやドラッグすることにより視覚的に変更後の文字大きさの枠１８１を設定するようにしてもよい。この場合は、ユーザが設定した枠１８１に基づき文字大きさの画素数を自動的に算出して項目１８０に表示する。この場合は、ユーザが視覚的に文字列の大きさを設定することができるため、画素数を用いた文字大きさ調整に不慣れなユーザであっても簡単に文字大きさを設定することが可能となる。
＜文字大きさ比率の算出方法＞
図７は、本願の実施例１に係るインクジェット記録装置システムによる文字例を示す図である。インクジェット記録装置の文字の大きさの考え方は図７に示す図のように表される。
印字される文字の横の大きさＷは印字速度Ｖ、横方向ドットピッチＰｘ、横方向ドット数Ｎｘ、ノズル励振周波数ｆ、粒子使用率Ｒ、文字幅設定値Ａ、縦方向のドット数Ｎｙ、ドット直径ｄで決定され、次式で表される。
【００３６】
【数１】
2017183953.tif 000003
【００３７】
【数２】
2017183953.tif 000004
【００３８】
ドット直径dは装置に依存し、同一印字速度Ｖ、同一周波数ｆ、同一粒子使用率Ｒ、同一文字構成ドット数であった場合、（数１）と（数２）から文字幅Ｗを決定する要因はＡに依存することがわかる。そのため、変更前と変更後の文字の横の大きさＷ、Ｗ’と現在の設定値Ａがわかれば、Ａ’は自動的に次式で決定される。
【００３９】
【数３】
2017183953.tif 000005
【００４０】
算出に必要なＡの情報はインクジェット記録装置で、ユーザが任意で設定するものであり、現在の設定値に関して記録装置から通信部４７を利用し値を取得する。ＷとＷ’は検査装置部を使用し、大きさの測定と設定を行う。
【００４１】
文字の高さ方向も同様に、インクジェット記録装置でユーザが任意で設定する文字高さ設定値Ｂと現在の文字高さＨ、変更後の文字高さＨ’を用いて同様に変更後の文字高さＢ’を求めることができる。
【００４２】
【数４】
2017183953.tif 000006
【００４３】
それぞれ算出した結果は、検査装置の通信部４７を利用しインクジェット記録装置へと送り、インクジェット記録装置のパラメータに反映させ、文字の高さに合わせた帯電電圧や偏向電圧を決定し、印字文字の大きさの制御を行う。
【００４４】
以上、Ｓｔｅｐ３〜Ｓｔｅｐ５で行うインクジェット記録装置の設定は、画像取得部４５から取得した映像や画像を検査装置の操作表示部４６に映し出し、映し出された画像をもとに入力部より変更前と変更後任意の文字や文字列の大きさを指定し、自動で設定した変更後の文字サイズになるようにパラメータや、帯電電圧、偏向電圧を調整するものである。
【００４５】
調整方法は操作表示部４６に映像と共に現在の文字列の大きさを指定する項目と変更後の文字列の大きさを指定する項目で行う。これらの項目を使用し、現在の文字の大きさを枠で囲って設定し、変更後の文字列の大きさも同様に枠で設定する。変更前と変更後の２つを設定することにより、印字サイズの拡大または縮小の比率を算出できるようになるため、印字記録装置のパラメータの制御が可能となる。
【実施例２】
【００４６】
本実施例では、文字列ではなく、一文字を利用して変更後の文字大きさを設定する点が実施例１と異なる。実施例１と同様の部分については説明を省略し、実施例１と異なる点についてのみここでは説明する。  図９は、本願の実施例１に係るインクジェット記録装置システムにおいて、一文字を指定した文字サイズの制御画面の例である。
【００４７】
図９に示すように、取得した文字列のうち、任意の1文字についてのみ文字大きさの設定に用いる。  具体的には、実施例１と同様に、項目１９０を使用し現在の文字の一文字を枠１９１で囲い、長さＸと文字高さＹを設定する。その後、項目２００を使用し変更後に得たい文字の大きさを、枠２０１を使用しＸ’とＹ’を設定する。ＸとＸ’の枠の大きさ（画素数）からＡ’を求め、インクジェット記録装置の文字幅の設定値を決定する。また、ＹとＹ’を使用し、同様の計算を行うことで、文字高さの設定値を決定する。
【００４８】
ここでは、文字列のうち一番左にある文字「０」を文字大きさの設定に用いたが、用いる文字はどの位置にある文字であっても良い。ユーザが自由に設定することが可能である。
【００４９】
また、ここでは、文字列の一文字のみを用いて文字列全体について一種類の文字の大きさを設定する方法を示したが、文字列の複数の文字を用いて複数回文字大きさの設定を行い、各文字について異なる大きさの文字を設定しても良い。
【実施例３】
【００５０】
本実施例は、画素数ではなく長さを用いて文字大きさを設定する点が実施例１および２と異なる。実施例１および２と同様の部分については説明を省略し、実施例１及び２と異なる点についてのみここでは説明する。
【００５１】
図１０は、本願の実施例３に係るインクジェット記録装置システムにおいて、文字サイズを指定した制御画面の例である。
本実施例では、文字の大きさがあらかじめ分かっている場合、現在の印字されている文字の大きさと変更したい文字の大きさをｍｍなどの大きさで指定することで制御を行う。図１０のように、変更前の文字の大きさを項目２１０に設定し、変更後の文字の大きさを項目２２０に設定することで文字のサイズを制御することができる。設定する文字の大きさは、画像から取得した文字列のうち、1文字でも、文字列全体の大きさでも構わない。項目２１０と項目２２０に設定する文字の大きさの基準が同じであればよい。
【００５２】
数値の算出に使用する計算式は実施例１、実施例２と同様である。
【００５３】
また、基準とした文字を、項目２３０を使用し、一文字または文字列を囲い、画面上に現在の文字の大きさ２３１を表示することで、変更前と変更後の数値比率から、設定した数値に変更した場合の文字の大きさや文字列をシミュレート２３２することができる。
【実施例４】
【００５４】
本実施例は、実施例１乃至３(図８乃至１０)にて示した枠を用いて書き出し位置を調整する方法に関する。
【００５５】
実施例１〜３の制御で利用する枠の設定を利用して、変更後の文字の枠を左右にずらして設定することで、印字装置の印字書き出し位置の左右の制御を可能とする。このとき、画像内の一文字の大きさ等が既知であれば、それに基づき枠の移動量から書き出し位置の変更距離を算出することができる。
【実施例５】
【００５６】
本実施例は、実施例１〜３の制御で、インクジェット記録装置から取得したパラメータに対して、印字サイズなどには影響が出ないように、印字検査装置の計算部４３で実施例１〜３の設定中に得た文字の大きさから（数１）〜（数３）を用いて、印字装置のパラメータを算出し、変更・追加を行い、検査装置に有利なように設定変更し、インクジェット記録装置の制御部７にデータを送り制御することを可能とする。
【００５７】
以上の実施例では、文字の大きさを変更する方法について記したが、変更されるものは文字でなくてもよく、例えば、図形や模様上の形状であっても良い。
【００５８】
以上の実施例で述べた通り、本願によると、これまで勘や試行錯誤により設定していた文字大きさの変更や設定内容を感覚的に行うことが可能であり、また、任意の大きさに変更することが可能になる。
【符号の説明】
【００５９】
１  インクジェット記録装置の本体部分
２  インクジェット記録装置の印字部
３  インクジェット記録装置の操作表示部
４  導管
５  インクジェット記録装置の計算部
６  インクジェット記録装置の出力部
７  インクジェット記録装置の制御部
８  ノズル
９  インクジェット記録装置の通信部
１０  インク粒子
１１  帯電電極
１２  偏向電極
１３  インクジェット記録装置の入力部
１４  ガター
１８  主インク容器
１９  補助インク容器
２０  溶剤容器
２１  粘度計測器
２２、２３、２４  電磁弁
２５  インク供給用ポンプ
２６  インク回収用ポンプ
２７  溶剤回収用ポンプ
２８、２９  フィルタ
３０  減圧弁
３１  圧力センサ
３２  排気口
４１  検査装置の入力部
４２  検査装置の制御部
４３  検査装置の計算部
４４  検査装置の出力部
４５  検査装置の画像取得部
４６  検査装置の操作表示部
４７  検査装置の通信部
４８  検査装置の照明部
４０  検査装置部
１００  インクジェット記録装置部
１７０  現在の文字列の大きさ設定部
１７１  現在の文字列の大きさ
１８０  変更後の文字列の大きさ設定部
１８１  変更後の文字列の大きさ
１９０  現在の文字の大きさ設定部
１９１  現在の文字の大きさ
２００  変更後の文字の大きさ設定部
２０１  変更後の文字の大きさ
２１０  現在の文字サイズ[mm]設定部
２２０  変更後の文字サイズ[mm]設定部
２３０  印字サイズ設定部
２３１  現在の印字サイズ
２３２  サイズ変更後のシミュレートサイズ
【図１】
2017183953.tif 000007
【図２】
2017183953.tif 000008
【図３】
2017183953.tif 000009
【図４】
2017183953.tif 000010
【図５】
2017183953.tif 000011
【図６】
2017183953.tif 000012
【図７】
2017183953.tif 000013
【図８】
2017183953.tif 000014
【図９】
2017183953.tif 000015
【図１０】
2017183953.tif 000016